(57)【要約】【課題】  従来の噴水置物と同様室内装飾品としての審美性を有するのみならず、意外性，面白味のある動作をし、さらに、動物の動きや風景等の種々の主題を表現することのできる噴水置物の提供。【解決手段】    水槽２０内に配設され所要の方向に水を噴出させるポンプ７と、その水槽２０内を照らすＬＥＤ１７…と、周囲の音の強さ等を検出するセンサ３０と、このセンサ３０により検出された音の強さ等が一定レベル以上であるとき、その強さ等に応じて上記ポンプが噴出する水の勢いおよび上記ＬＥＤ１７…の点滅を制御する制御部とからなる噴水置物。【選択図】  図１
2005288982.tif 000002
【特許請求の範囲】
【請求項１】
水槽内に配設され所要の方向に水を噴出させるポンプと、その水槽内を照らすＬＥＤと、周囲の音の強さ等を検出するセンサと、このセンサにより検出された音の強さ等が一定レベル以上であるとき、その強さ等に応じて上記ポンプが噴出する水の勢いおよび上記ＬＥＤの点滅を制御する制御部とからなることを特徴とする噴水置物。
【請求項２】
上記制御部は、上記検出された音の強さ等が一定レベル未満であるとき、上記ポンプから噴出させる水の勢いを最小限とすることを特徴とする請求項１記載の噴水置物。
【請求項３】
上記ポンプは、噴出筒を有するタンク内に羽根車を配設してなり、その羽根車の回転数の増減により噴出筒を通じ噴出させる水の勢いを調整するようにしてなることを特徴とする請求項１または２記載の噴水置物。
【請求項４】
上記水槽内に、バネで揺動自在に支持したマスコットを設けるとともに、このマスコットに、上記ポンプが噴出する水を当て揺動させるようにしてなることを特徴とする請求項１，２または３記載の噴水置物。
【発明の詳細な説明】
【技術分野】
【０００１】
本発明は、噴水置物に関する。
【背景技術】
【０００２】
従来、卓上型の噴水置物として、たとえば特許文献１に記載されたものが知られている。
【０００３】
これは、略椀形の主容器の上面開口の上方に花器を兼ねた噴水受け器を配設するとともに、上記主容器に貯めた水を、該主容器内に配設された水中ポンプを用いて複数の噴出口から上方に噴出させるようにし、また、上記噴水受け器に活け花を受入させることができるようにしたものであり、室内装飾品として一定の審美性を有する。
【特許文献１】特開2004-17038号公報
【発明の開示】
【発明が解決しようとする課題】
【０００４】
しかしながら、上記噴水置物は、水中ポンプにより水を定常的に、一定の勢いで噴出させるようにしているだけのものであると認められ、その噴出の動作には、意外性とか面白味といったものはない。
【０００５】
また、同文献には、上記噴水受け器の代わりに照明を組み込んだ装飾体を設けることも記載されているが、この場合、照明によって一定の美感を起こさせるであろうことは認められるものの、スイッチにより点灯，消灯できる通常の照明を組み込んだだけでは意外性とか面白味はない。
【０００６】
本発明は、従来の噴水置物と同様室内装飾品としての審美性を有するのみならず、意外性，面白味のある動作をし、さらに、動物の動きや風景等種々の主題を表現することのできる噴水置物の提供を目的とする。
【課題を解決するための手段】
【０００７】
請求項１記載の本発明噴水置物は、水槽２０内に配設され所要の方向に水を噴出させるポンプ７と、その水槽２０内を照らすＬＥＤ１７…と、周囲の音の強さ等を検出するセンサ３０と、このセンサ３０により検出された音の強さ等が一定レベル以上であるとき、その強さ等に応じて上記ポンプが噴出する水の勢いおよび上記ＬＥＤの点滅を制御する制御部とからなる。
【０００８】
請求項２記載の本発明は、上記制御部が、上記検出された音の強さ等が一定レベル未満であるとき、上記ポンプ７から噴出させる水の勢いを最小限とする請求項１記載の噴水置物である。
【０００９】
請求項３記載の本発明は、上記ポンプ７が、噴出筒８ｂ…を有するタンク８内に羽根車９を配設してなり、その羽根車９の回転数の増減により噴出筒８ｂ…を通じ噴出させる水の勢いを調整するようにしてなる請求項１または２記載の噴水置物である。
【００１０】
請求項４記載の本発明は、上記水槽２０内に、バネ５で揺動自在に支持したマスコット６を設けるとともに、このマスコット６に、上記ポンプ７が噴出する水を当て揺動させるようにしてなる請求項１，２または３記載の噴水置物である。
【発明の効果】
【００１１】
本発明噴水置物は、水槽内に配設され所要の方向に水を噴出させるポンプと、その水槽内を照らすＬＥＤと、周囲の音の強さ等を検出するセンサと、このセンサにより検出された音の強さ等が一定レベル以上であるとき、その強さ等に応じて上記ポンプが噴出する水の勢いおよび上記ＬＥＤの点滅を制御する制御部とからなり、周囲の音に合わせて水を噴出し、またＬＥＤを点滅させるので、その動作には意外性，面白味がある。
また、水槽内に動物の動きや風景等種々の主題を表現することができる。
【発明を実施するための最良の形態】
【００１２】
水槽２０内に配設され所要の方向に水を噴出させるポンプ７と、その水槽２０内を照らすＬＥＤ１７…と、周囲の音の強さ等を検出するセンサ３０と、このセンサに３０より検出された音の強さ等が一定レベル以上であるとき、その強さ等に応じて上記ポンプが噴出する水の勢いおよび上記ＬＥＤの点滅を制御する制御部とからなる噴水置物。
【実施例】
【００１３】
１は基台、２はその基台１の上に立設された円筒状の周壁で、その周壁２の前半部２ａは透明な合成樹脂からなり、後半部２ｂは上記前半部２ａよりも高さの高い不透明な合成樹脂からなる。
３は、上記周壁２により囲繞された貯水部で、そこには所要量の水を注入し貯めておくことができるようになっている。
４は、その貯水部３の底の前部中央に形成されたバネ係止用突起である。
【００１４】
５は、上記バネ係止用突起４に基端を嵌合させて設立した所要高さの螺旋バネで、その先端にはたとえばイルカを模したマスコット６を取り付け、これによりマスコット６を揺動自在に支持している。
【００１５】
７は、上記貯水部３の後部に、該貯水部３の底から少し浮かせた状態にして配設されている小容量のタンク８と、そのタンク８内に回転自在に軸支された羽根車９と、この羽根車９を回転させるモータ１０とからなるポンプである。
【００１６】
モータ１０の回転力は、プーリ１１，１１、ベルト１２、伝達軸１３等を介して、上記羽根車９に伝えられるようになっており、羽根車９を回転させることによって、タンク８の下面に開設された吸水孔８ａからタンク８内に取り込まれた水を、タンク８の前側上面に立設した噴出筒８ｂ…を通じ、その噴出筒８ｂ…に取り付けたゴム筒１４…の先端から上方に噴出するようになっている。
【００１７】
上記ポンプ７が噴出する水の勢いは、羽根車９の回転数に応じて調整されるようになっており、またその羽根車９は、タンク８内の水を噴出させるのに十分な大きさにしてあるので、上記の回転数を上げたときには、直ちに噴出する水の勢いを強めることができる。
【００１８】
１５は、上記ポンプ７の後部上方に立設されている装飾柱体、１６は、その装飾柱体１５の前面に取り付けられている、複数の孔を開設した前板である。
【００１９】
１７…はその前板１６の孔に前端を突出させた状態にして嵌め込んだＬＥＤ、１８…はその各ＬＥＤ１７…の前端を取り囲むようにして上記前板１６の前面に取り付けられた、略円形の反射板である。
なお、図に示した装飾柱体１５は５つのＬＥＤ１７…を有しているが、その数は適宜増減することができる。
【００２０】
１９は透明な合成樹脂からなり、後面１９ａを平坦にし、横断面を略半円形にした有蓋筒体状のカバーである。その外面下部の前側から左右にかけては鍔１９ｂが突出形成されており、上記周壁２に対して、鍔１９ｂを前半部２ａに乗載するとともに、左右後方を後半部２ｂ内に嵌合させた状態で、上記装飾柱体１５の前側に位置させて取り付けられている。
【００２１】
このカバー１９と上記貯水部３とは全体として水槽２０を形成しており、その前方からは透明なカバー１９および周壁２の前半部２ａを通じてその後方の上記装飾柱体１５が看取できるようになっている。
【００２２】
２１は、カバー１９と装飾柱体１５の上端に嵌合載置された円盤状の照明ユニットである。その下面には上記水槽２０内を照らすためのＬＥＤ２２を有し、また、その内部には上記ＬＥＤ２２を点灯させる電源および電源スイッチを備えている（図示しない）。
【００２３】
上記のようにしてなる噴水置物は、水槽２０内に、イルカが水面上に飛び出した様子を表現したものになっているが、これ以外の種々の主題を表現することもできる。
たとえば、イルカの代わりに他の動物を模したマスコット６を取り付けてもよいし、水槽２０の底部にコインのミニチュアを配置して噴水内にコインが沈んでいる様子を表現するなどしてもよい。
【００２４】
また、水槽２０内に、建物等を模したジオラマを配置して街並みを表すことにより、ラスベガス等の都市の噴水を表現するとか、所要の位置に船のミニチュアを支持しておき、船が航行する様子を表現してもよい。
【００２５】
その他、装飾柱体１５の前板１６に南国のイメージや、夜空のイメージの背景を表すなどすることもできる。
【００２６】
図６は、上記ポンプ７が噴出する水の勢い、および装飾柱体１５のＬＥＤ１７…の点滅を制御する、上記基台１内に内蔵された制御部のブロック図である。
【００２７】
３０は、上記基台１の後面（図示しない）に取り付けられた、該噴水置物の周囲の音を検出する音センサとしてのＥＣＭ（Electret Condenser Mic）である。
【００２８】
このＥＣＭ３０から周囲の音の強さに応じて出力される検出信号は、増幅回路３１で増幅された後、波形整形回路３２に入力される。
【００２９】
波形整形回路３２は、入力された上記検出信号のレベルが設定値以上であるとき、すなわち検出された周囲の音の強さが一定レベル以上であるときに、その検出信号をパルス形状にしてモータ制御回路３３およびＬＥＤ点滅制御回路３４へ出力する。
【００３０】
モータ制御回路３３は、ポンプ７のモータ１０を周囲の音の強さに応じて回転させることができるようにするため、波形整形回路３２から入力された各パルスのパルス幅を拡張し、モータドライブ回路３５へ出力する。
【００３１】
モータドライブ回路３５は、モータ制御回路３３からのパルスを入力し、そのパルスの周波数や各パルスのパルス幅、振幅等に応じてモータ１０を回転駆動するパワードライブ回路である。
その回転駆動は、たとえば、パルス幅に応じた時間だけモータ１０（ポンプ７）を回転させるなど適宜の方法で行うことができる。
【００３２】
これにより、ポンプ７は、周囲の音の強さに応じて回転数を増減させるので、噴出する水の勢いを、その音の強さに応じて変化させることができる。
【００３３】
なお、たとえば周囲に音がない場合など、検出信号のレベルが設定値未満であるときにも、上記ポンプ７を停止させることなく最小限の回転数で回転させるようにしている。
これは、ポンプ７を停止状態から所要の回転数で回転させようとすると、遅れが生じてしまうので、音の強さに応じて素早く回転数を上げられるようにするためである。
【００３４】
ＬＥＤ点滅制御回路３４は、上記波形整形回路３２からのパルスを入力し、単位時間あたりのパルス数（周波数）や、個々のパルスのパルス幅、振幅等に応じて上記各ＬＥＤ１７…を一見ランダムに点滅させるＬＥＤ点滅制御信号を出力する。
そのＬＥＤ点滅制御信号の生成は、たとえば、単位時間あたりに入力されるパルスの数に基づいて選択される特定のＬＥＤ１７を、個々のパルスのパルス幅に応じた時間だけ点灯させるようにするなど適宜の方法により行うことができる。
【００３５】
ＬＥＤドライブ回路３６は、上記ＬＥＤ点滅制御信号を入力し、これに応じて各ＬＥＤ１７…を点滅させるためのパワードライブ回路である。
【００３６】
これにより、各ＬＥＤ１７…は、たとえば、周囲の音が強いときには高頻度で点滅し、弱いときには点滅頻度が低くなるというように、音の強さに応じて点滅パターンを変化させ、また、音が検出されないときには消灯する。
【００３７】
なお、上記の水の噴出およびＬＥＤ１７…の点滅の度合い、すなわち音に対する感度は、基台１の側面に取り付けられた感度調節ツマミ３７により、たとえば上記増幅回路３１のゲインを増減することにより調整できるようになっている。
【００３８】
３８は、上記の各回路に必要な電源を供給する電源部で、それは上記基台１の側面に取り付けられた電源スイッチ３９と電池またはＡＣ／ＤＣアダプタ（図示しない）とからなる。
【００３９】
上記の制御部の回路構成および制御方法はあくまでも一例として挙げたものであり、周囲の音の強さに応じて、ポンプ７の回転数を増減制御し、ＬＥＤ１７…の点滅を制御することのできる他の回路構成または制御方法を採用してもよい。
【００４０】
また、上記照明ユニット２１のＬＥＤ２２は、同照明ユニット２１内の電源および電源スイッチにより点灯されるようになっているが、このＬＥＤ２２の点灯に必要な電源も、上記電源部３８から供給するようにしてもよい。
【００４１】
次に、上記噴水置物の作動について説明する。
予め上記貯水部３に、上記ポンプ７のタンク８が浸かる程度の量の水を注入しておき、電源スイッチ３９をＯＮにすると、周囲の音が検出されないときであっても、ポンプ７が最小限の回転数で回転し、これにより上記噴出筒８ｂ…に取り付けたゴム筒１４…の先端から水が最小限の勢いで噴出（漏出）する。
【００４２】
周囲の音の強さが一定レベル以上であるときは、その強さに応じて、ポンプ７の回転数が増減して噴出する水の勢いが変化するとともに、同じくその強さに応じてＬＥＤ１７…の点滅パターンが変化するので、意外性，面白味がある。
【００４３】
たとえば、手を叩けばその音を検出して瞬間的に水を噴出させるとともにＬＥＤ１７…を短時間点滅させる。また、音楽を鳴らしておけばそのリズムに合わせて動作する。
【００４４】
しかも、噴出した水は螺旋バネ５に支持されている上記イルカを模したマスコット６に当たりこれを揺動させ、また、貯水部３に貯まっている水を波打たせ動きを与えるので面白い。
【００４５】
一方、ポンプ７は、その回転により吸水孔８ａから常に水を吸い込んでいるので、貯水部３内の水には流れが生じており、たとえば水の流れのある海中の様子を表現することもできる。
【００４６】
点滅するＬＥＤ１７…から発せられる光は水槽２０内を照らし、ポンプ７が噴出する水やカバー１９内面に付着する水滴により美しく乱反射するから、水と光の相乗効果により看者に安らぎを与えるものである。特に、照明を落とした室内で動作させると、幻想的な雰囲気を作り出すことができる。
さらに、照明ユニット２１のＬＥＤ２２が、水槽２０内を上方から照らすことにより、上記の水の動きを活かして、より美しさを演出するようになっている。
【００４７】
なお、上記において説明した噴水置物は、周囲の音の強さすなわち音センサからの検出信号のレベルに応じてポンプ７が噴出する水の勢いおよびＬＥＤ１７…の点滅を制御しているものであるが、たとえば、音センサの代わりに光センサ等を用いて人の動きを検出するようにし、その光センサからの検出信号のレベルやそのレベルの変化量等に応じて水の噴出およびＬＥＤ１７…の点滅を制御するなどしてもよい。
【図面の簡単な説明】
【００４８】
【図１】本発明の一実施例に係る噴水置物の斜視図である。
【図２】同上の一部省略正面図である。
【図３】同上の縦断面図である。
【図４】同上の横断面図である。
【図５】同上のカバーおよび照明ユニットを取り外した状態の斜視図である。
【図６】上記噴水置物の制御部のブロック図である。
【符号の説明】
【００４９】
１      基台
２      周壁
２ａ    周壁の前半部
２ｂ    周壁の後半部
３      貯水部
４      バネ係止用突起
５      螺旋バネ
６      マスコット
７      ポンプ
８      タンク
８ａ    吸水孔
８ｂ    噴出筒
９      羽根車
９ａ    羽根車の軸
10      モータ
11      プーリ
12      ベルト
13      伝達軸
14      ゴム筒
15      装飾柱体
16      前板
17      ＬＥＤ
18      反射板
19      カバー
19ａ    カバーの後面
19ｂ    カバーの鍔
20      水槽
21      照明ユニット
22      ＬＥＤ
30      ＥＣＭ（音センサ）
31      増幅回路
32      波形整形回路
33      モータ制御回路
34      ＬＥＤ点滅制御回路
35      モータドライブ回路
36      ＬＥＤドライブ回路
37      感度調節ツマミ
38      電源部
39      電源スイッチ    
【図１】
2005288982.tif 000003
【図２】
2005288982.tif 000004
【図３】
2005288982.tif 000005
【図４】
2005288982.tif 000006
【図５】
2005288982.tif 000007
【図６】
2005288982.tif 000008